(57)【要約】  ハウジングと、このハウジングの一端の一面に設けた一方の露出電極と、上記ハウジングの他端に形成した保持部と、この保持部に設けた他方の露出電極と、上記保持部の幾何学的中心に設けた測定キーとを有し、上記保持部の幾何学的中心が上記ハウジングの他端に向って及び両側の一方に向って偏位していることを特徴とする可搬式心電図計。上記保持部が独特の形であり、使用者の手首と、腕と、胴部がスペースを形成するよう囲まれており、使用者は自然で正しい姿勢となり、モニタされたデータは正確で信頼性のあるものとなる。
2010510006.tif 000002
【特許請求の範囲】
【請求項１】
ハウジングと、このハウジングの一端の一面に設けた一方の露出電極と、上記ハウジングの他端部に形成した保持部と、この保持部に設けた他方の露出電極と、上記保持部の幾何学的中心に設けた測定キーとを有し、上記保持部の幾何学的中心が上記ハウジングの他端から及び両側の一方に向って偏位していることを特徴とする可搬式心電図計。
【請求項２】
上記保持部が半円以上の弧状面を有するボディであることを特徴とする請求項1記載の可搬式心電図計。
【請求項３】
上記ハウジング一側に設けた電源キー及び制御、表示及び貯蔵のための組み合せキーを更に有することを特徴とする請求項１記載の可搬式心電図計。
【請求項４】
上記ハウジングの一端部が矩形、台形、ドラム形または四角形であることを特徴とする請求項１記載の可搬式心電図計。
【請求項５】
上記ハウジングの両側の１つが右側であることを特徴とする請求項１記載の可搬式心電図計。
【請求項６】
上記ハウジングの両側の１つが左側であることを特徴とする請求項１記載の可搬式心電図計。
【請求項７】
上記ハウジングの一端部に設けた表示スクリーンを更に有することを特徴とする請求項１記載の可搬式心電図計。
【請求項８】
上記ボディの半円以上の弧状面の曲率半径が２０〜１００ｍｍの範囲であることを特徴とする請求項２記載の可搬式心電図計。
【請求項９】
上記半円以上の弧状面を有するボディが、上記ハウジングの一端部の幾何学的中心から横方向に１０〜１００ｍｍだけ偏位していることを特徴とする請求項２記載の可搬式心電図計。
【請求項１０】
上記半円以上の弧状面を有するボディが、上記ハウジングの一端部の幾何学的中心から縦方向に２５〜１００ｍｍだけ偏位していることを特徴とする請求項２記載の可搬式心電図計。
【発明の詳細な説明】
【技術分野】
【０００１】
本発明は可搬式心電図計、特に、心電図波形及びデータを正確にモニタできる可搬式心電図計に関するものである。
【背景技術】
【０００２】
現在、心電図計は患者の心臓の搏動をモニタし、診断するために用いられている。
【０００３】
特許文献１及び２に示されている可搬式心電図計では、任意の時刻、場所において患者は自己の心臓の状態を測定し、リアルタイムで心電図波形をモニタし、モニタされたデータを貯蔵でき、患者の要求を十分に満たしている。然しながら、以下のような欠点が存在する。
【先行技術文献】
【特許文献】
【０００４】
【特許文献１】中国特許出願公開番号ＣＮ１７３４４６Ａ
【特許文献２】中国特許出願公開番号ＣＮ１６３６５０７Ａ
【発明の概要】
【発明が解決しようとする課題】
【０００５】
図１及び図２に示すように従来の可搬式心電図計には２個の露出された電極が設けられている。使用者は測定の間右手で心電図計の露出された電極の１つを保持し、残りの露出された電極を左胸に当てる。心電図計は直方体形状であり、使用者が左胸に心電図計を当てて保持したとき人指し指の第１，第２関節を直方体の心電図計の１つの角に回し、上記１つの電極に接触せしめ、手の平に連なる指を胸に平行に保つようにしている。従って、右手の手首が直方体の心電図計を胸に押すようになる。更に、上腕と大きな下椀が不本意ながら使用者の上半身の胴部に接近し右手と胴部間の距離Ｌが小さくなり、場合によっては右手が右側肋骨に直接接触するようになる。この場合にはこの部分の測定回路が短絡され測定回路が心臓を含まないようになり、このような場合には心電図計の波形とデータの精度は低いものとなる。
【０００６】
更に、心電図計は直方体形状であるため測定の間使用者の姿勢が不自然であれば腕の筋肉がより緊張するようになる。この場合には大きな筋電干渉を生じ、心電信号が歪むようになる。
【０００７】
このような欠点を生ずる主たる理由は、従来の心電図計が直方体形状であり、測定のため使用者がこれを保持するとき正しい姿勢をとれないことにある。
【課題を解決するための手段】
【０００８】
本発明の目的は、心電図計の測定精度を大きく改良し、使用者の正しくない姿勢による測定波形とデータのエラーを効果的に防ぎ得る可搬式心電図計を得るにある。
【０００９】
本発明の他の目的は、誰にでも心電図波形とデータを正確にモニタできる可搬式心電図計を得るにある。
【００１０】
このため本発明においては、心電図計のハウジングの一端部における一端面に１つの露出電極を設ける。本発明の可搬式心電図計においては、ハウジングの他端部を保持に便利な形状とし、この部分に他の露出電極を設け、上記ハウジングの上記他端部の幾何学的中心を上記ハウジングの他端方向に及び上記ハウジングの両側の一方に向って偏位せしめ、測定キーを上記幾何学的中心に配置する。
【００１１】
上記保持部に便利な形状は半円以上の弧状面を有する形とするのが好ましい。
【００１２】
また、ハウジングの一側に電源キーを配置し、制御、表示、貯蔵のための組み合せキーを上記ハウジングの一側に設けるのが好ましい。
【００１３】
また、ハウジングの一端部を矩形、台形、ドラム形または四角形とするのが好ましい。
【００１４】
また、ハウジングの上記一側を右側とするのが好ましい。
【００１５】
また、ハウジングの上記一側を左側とするのが好ましい。
【００１６】
また、表示スクリーンをハウジングの一端部に配置するのが好ましい。
【００１７】
また、上記半円以上の弧状面の曲率半径を２０〜１００ｍｍの範囲とするのが好ましい。
【００１８】
また、上記半円以上の弧状面を有するボディが上記ハウジングの一端部の幾何学的中心から横方向に１０〜１００ｍｍだけ偏位するのが好ましい。
【００１９】
また、上記半円以上の弧状面を有するボディが上記ハウジングの一端部の幾何学的中心から縦方向に２５〜１００ｍｍだけ偏位するのが好ましい。
【発明の効果】
【００２０】
本発明においては、可搬式心電図計のハウジングが洗練されたユニークな保持形状であるため、使用者の手首、アーム及び胴部がに十分なスペースを形成するようになり、従って、使用者は測定に際し自然の正しい姿勢をとり得るようになる。そのため、測定データは正確で信頼性のあるものとなり、心電図測定の精度が増し、使用者の正しくない姿勢に起因する心電図波形とデータの測定エラーを効果的に阻止できるようになる。
【００２１】
また、本発明においては使用者が測定を行なうとき手首を自然に上にあげた形となる。腕はより自然な姿勢となり、筋肉は緊張されない。従って、心電信号に対する筋電干渉は大きく減少され、心電信号の歪が減少される。
【図面の簡単な説明】
【００２２】
【図１】図１は測定のため従来の可搬式心電図計を保持した状態を示す正面図である。
【図２】図２は測定のため従来の可搬式心電図計を保持した状態を示す平面図である。
【図３】図３は本発明の可搬式心電図計の平面図である。
【図４】図４は測定のため本発明の可搬式心電図計を保持した状態を示す平面図である。
【図５】図５は本発明の可搬式心電図を異なる角度で見た斜視図である。
【図６】図６は本発明の可搬式心電図を異なる角度で見た斜視図である。
【図７】図７は本発明の可搬式心電図を異なる角度で見た斜視図である。
【図８】図８は本発明の可搬式心電図を異なる角度で見た斜視図である。
【発明を実施するための形態】
【００２３】
以下図面によって本発明の実施例を詳細に説明する。
【実施例１】
【００２４】
本発明の可搬式心電図計は図３〜図８に示すようにハウジングと、組立式電源、組立式検出及び制御回路とを有する。
【００２５】
図５に示すように、ハウジングの左端は直方体１とし、その端面に一方の露出電極３を配置する。表示スクリーン８を直方体１の正面に配置する。ハウジングの右端は円の略３／４を占める半円以上の弧状面を有するボディ２とし、このボディ２の弧状面に他方の露出電極４を配置する。上記ボディ２の弧状面の中心を上記直方体１の横方向に延びる中心軸の右端より下方の位置とする。測定キー５を上記ボディ２の上記中心に配置する。電源キー６を直方体１と半円以上の弧状面を有するボディ２の接合部９に設ける。図６に示すように制御、表示及び貯蔵のための組み合せキー１０を直方体１の一方の側面に設ける。
【００２６】
測定に際しては、電源キー６を押す。図４に示すように心電図計の半円以上の弧状面を有するボディ２を右手で保持し、右手の人指し指を上記他方の露出電極４に当て、確実にこれを維持せしめる。右手の親指を測定キー５上に位置せしめる。上記直方体１の一端における一方の露出電極３を左胸の心臓の位置に接触せしめる。測定中、右手の親指で測定キー５を押圧し、測定した波形を表示スクリーン８に表示せしめる。同時に、組み合せキー１０によってモニタ波形とデータを将来の参考のため貯蔵せしめる。
【００２７】
使用者の右手による半円以上の弧状面を有するボディ２の保持位置では、図２に示す場合に比べ右手の手首位置は使用者の胴部より離れた（図４においてはより高い）位置となり、右手の上腕（下方に延びる腕）と下腕（長い腕）は胴部より外側に位置し、この結果、手首、腕及び胴部は比較的に大きいスペースを作る。この姿勢は不快感を与えない自然な形であり、一方この姿勢は正しく、正確な測定をなし得る。使用者は自然で正しい姿勢で測定することになるためモニタされたデータは正確で信頼性があり、心電図計の精度を高め、使用者の姿勢に基づく測定波形とデータのエラーの発生を効果的に防ぐことができる。
【実施例２】
【００２８】
本発明の他の実施例においては、ハウジングの他端部における半円以上の弧状面を有するボディ２の形状を、例えば、弧状面を有する楕円形、または、指パッド位置決め用くぼみを有する湾曲面形状とする。
【００２９】
この実施例によればハウジングの直方体形状を台形、ドラム形、四角形または他の装飾形状に変えることができる。
【００３０】
以上本発明の複数の実施例を詳細に説明したが、本発明は本発明の精神を逸脱しない範囲において種々増、減、変更できることは勿論である。
【符号の説明】
【００３１】
１  直方体
２  ボディ
３  一方の露出電極
４  他方の露出電極
５  測定キー
６  電源キー
８  表示スクリーン
９  接合部
１０  組み合せキー
【図１】
2010510006.tif 000003
【図２】
2010510006.tif 000004
【図３】
2010510006.tif 000005
【図４】
2010510006.tif 000006
【図５】
2010510006.tif 000007
【図６】
2010510006.tif 000008
【図７】
2010510006.tif 000009
【図８】
2010510006.tif 000010
【国際調査報告】
2010510006.tif 000011
2010510006.tif 000012
2010510006.tif 000013
2010510006.tif 000014